(57)【要約】【課題】本発明は、先端部の径が細く、先端硬質部が短く、安価な側視の視野方向を有する内視鏡装置を提供することを最も主要な特徴とする。【解決手段】内視鏡５１の挿入部５２の先端部に設けられた挿入部５２の長手方向に直交する方向を視野方向とする観察手段５９を有する内視鏡装置において、側視用ランプ型ＬＥＤ（半導体発光素子）６０からなる照明手段を設け、側視用ランプ型ＬＥＤ６０と観察手段５９とを挿入部５２の長手方向に配置したものである。【選択図】      図６
2004305770.tif 000002
【特許請求の範囲】
【請求項１】
内視鏡の挿入部の先端部に設けられた挿入部の長手方向に直交する方向を視野方向とする観察手段を有する内視鏡装置において、
半導体発光素子からなる照明手段を設け、前記半導体発光素子と前記観察手段とを前記挿入部の長手方向に配置したことを特徴とする内視鏡装置。
【請求項２】
内視鏡の挿入部の先端部に設けられた挿入部の長手方向に直交する方向を視野方向とする観察手段を有する内視鏡装置において、
半導体発光素子からなる照明手段を設け、前記半導体発光素子を前記観察手段に対し、前記挿入部の長手方向と直交する方向に配置したことを特徴とする内視鏡装置。
【発明の詳細な説明】
【技術分野】
【０００１】
本発明は挿入部の先端部に挿入部の長手方向に直交する方向を視野方向とする観察手段を備えた内視鏡装置に関する。
【背景技術】
【０００２】
一般に、内視鏡装置として例えば、特許文献１には管腔内に挿入される挿入部の先端部に視野の向きが異なる２方向の観察手段を備えた構成のものが知られている。ここでは、挿入部の先端構成部の先端面に挿入部の軸心方向に向けた直視方向観察用の第１の観察手段が配設されている。さらに、先端構成部の外周面には挿入部の軸心方向と直交する方向に向けた側視方向観察用の第２の観察手段が配設されている。
【０００３】
また、挿入部の先端構成部の先端面には第１の観察手段の近傍位置に直視方向照明用の直視方向照明部が配設されている。同様に、先端構成部の外周面には第２の観察手段の近傍位置に側視方向照明用の側視方向照明部が配設されている。
【特許文献１】特開平４−１２７２６号公報
【発明の開示】
【発明が解決しようとする課題】
【０００４】
上記従来構成のものにあっては直視方向照明部および側視方向照明部にはそれぞれ光ファイバによって形成されたライトガイドが配設されている。そのため、内視鏡の挿入部には直視方向照明用および側視方向照明用の２系列のライトガイドが配設されるので、内視鏡の挿入部および先端部の外径寸法が太くなる問題がある。その結果、内視鏡の挿入部および先端部を患者の体腔内に挿入する際にその作業が行いにくい上、患者の負担が大きくなる問題がある。
【０００５】
さらに、先端構成部の外周面に側視方向の観察手段の近傍位置に側視方向照明用の側視方向照明部が配設された装置では、屈曲成形したライトガイドが使用される。そのため、先端部の径が太くなり、先端硬質部が長くなるとともに、ライトガイドが高価である。
【０００６】
本発明は前記事情に着目してなされたもので、その目的は、先端部の径が細く、先端硬質部が短く、安価な側視の視野方向を有する内視鏡装置を提供することにある。
【課題を解決するための手段】
【０００７】
請求項１の発明は、内視鏡の挿入部の先端部に設けられた挿入部の長手方向に直交する方向を視野方向とする観察手段を有する内視鏡装置において、半導体発光素子からなる照明手段を設け、前記半導体発光素子と前記観察手段とを前記挿入部の長手方向に配置したことを特徴とする内視鏡装置である。  
請求項２の発明は、内視鏡の挿入部の先端部に設けられた挿入部の長手方向に直交する方向を視野方向とする観察手段を有する内視鏡装置において、半導体発光素子からなる照明手段を設け、前記半導体発光素子を前記観察手段に対し、前記挿入部の長手方向と直交する方向に配置したことを特徴とする内視鏡装置である。  
そして、本発明では、屈曲成形したライトガイドを用いないため、先端部が細くできるうえ、照明手段が安価にできるようにしたものである。
【発明の効果】
【０００８】
本発明によれば、先端部の径が細く、先端硬質部が短く、安価な側視の視野方向を有する内視鏡装置を提供することができる。
【発明を実施するための最良の形態】
【０００９】
以下、本発明の第１の実施の形態を図１乃至図５を参照して説明する。図１は本実施の形態の内視鏡装置１のシステム全体の概略構成を示すものである。
【００１０】
本実施の形態の内視鏡装置１には電子内視鏡２が設けられている。この電子内視鏡２には管腔内に挿入される細長い挿入部３が設けられている。さらに、この挿入部３の基端部には手元側の操作部４が連結されている。
【００１１】
また、操作部４の外周面にはユニバーサルコード５の一端部が連結されている。このユニバーサルコード５の他端部には第１のコネクタ６が配設されている。この第１のコネクタ６は内視鏡制御装置７に着脱可能に連結されている。なお、内視鏡制御装置７の内部には流体制御装置が組み込まれている。
【００１２】
さらに、コネクタ６の外周面には画像信号用の第２のコネクタ８が配設されている。この第２のコネクタ８には接続ケーブル９の一端部が接続されている。この接続ケーブル９の他端部はビデオプロセッサ１０に接続されている。このビデオプロセッサ１０にはモニター１１が接続されている。
【００１３】
また、挿入部３の先端部には先端構成部１２が配設されている。この先端構成部１２には図３に示すように例えば金属材料で形成される先端構成部本体１３とこの先端構成部本体１３の外周面を覆う絶縁カバー１４とが設けられている。
【００１４】
また、先端構成部１２の先端面には視野方向を挿入部３の略軸心方向に向けた平面状の直視方向観察用の直視方向観察部１２ａが形成されている。さらに、この先端構成部１２の外周面には視野方向を挿入部３の側面方向に向けた側視方向観察用の側視方向観察部１２ｂが形成されている。ここで、側視方向観察部１２ｂは図２および図５に示すように先端構成部１２の外周面の円弧の一部を切欠させた平面状の切欠部によって形成されている。
【００１５】
また、先端構成部１２の直視方向観察部１２ａには図２に示すように直視用照明レンズ１５、直視用対物レンズ１６、直視用ノズル１７およびチャンネル１８の先端開口部１８ａがそれぞれ配設されている。ここで、直視用対物レンズ１６は図３に示すように例えばＣＣＤ（固体撮像素子）等の直視用撮像手段１９の先端の撮像面に対向配置されている。この直視用撮像手段１９の信号線１９ａは第２のコネクタ８に接続されている。そして、これらの直視用対物レンズ１６と直視用撮像手段１９とによって挿入部３の略軸心方向に向けた直視方向観察用の第１の観察手段２０が構成されている。
【００１６】
また、直視用照明レンズ１５の内面側には図４に示すように第１の観察手段２０の視野照明用の照明光を発生させる直視用チップ型ＬＥＤ（第１の半導体発光素子）２１が対向配置されている。この直視用チップ型ＬＥＤ２１は例えば白色ＬＥＤによって形成される。なお、この白色ＬＥＤは例えばＩｎＧａＮ系青色ＬＥＤと蛍光体とを組み合わせることにより、ＲＧＢの３チップを使わずに単一チップで白色を実現したものである。さらに、ＬＥＤ２１は外形状が照明光の出射方向の長さが出射方向と直交する方向に比べ短いチップ型ＬＥＤが使用されている。
【００１７】
また、ＬＥＤ２１には電源供給線２２の一端部が接続されている。この電源供給線２２の他端部は第１のコネクタ６の電源供給部６ａに接続されている。ここで、先端構成部本体１３の先端面にはＬＥＤ２１の装着用の凹部２３が形成されている。さらに、この先端構成部本体１３の内部には電源供給線２２を挿通するための横孔部２４および縦孔部２５がそれぞれ形成されている。そして、ＬＥＤ２１の電源供給線２２は先端構成部本体１３の横孔部２４および縦孔部２５内に挿通されている。
【００１８】
また、直視用ノズル１７には挿入部３の略軸心方向に延設された連結部１７ａと、この連結部１７ａの先端部を直視用対物レンズ１６の方向に向けて屈曲させた噴射孔部１７ｂとが設けられている。そして、この直視用ノズル１７の連結部１７ａは先端構成部本体１３の内部に穿設された直視用送気・送水管路２６の先端部に連結されている。さらに、この直視用送気・送水管路２６の基端部には直視用送気・送水チューブ２７の先端部が連結されている。この直視用送気・送水チューブ２７の基端部は第１のコネクタ６を介して内視鏡制御装置７の内部の流体制御装置に接続されている。そして、流体制御装置から直視用送気・送水チューブ２７および直視用送気・送水管路２６を通して供給される洗浄流体が直視用ノズル１７の噴射孔部１７ｂから直視用対物レンズ１６に吹き付けられるようになっている。
【００１９】
また、チャンネル１８の基端部は図１に示すように手元側の操作部４に突設された処置具挿入口２８に連結されている。そして、この処置具挿入口２８から挿入される処置具がチャンネル１８内を通してチャンネル１８の先端開口部１８ａから外部に延出されるようになっている。
【００２０】
また、先端構成部１２の側視方向観察部１２ｂには図５に示すように側視用対物レンズ２９および側視用照明レンズ３０がそれぞれ配設されている。ここで、先端構成部本体１３の内部には図４に示すように例えばＣＣＤ（固体撮像素子）等の側視用撮像手段３１が挿入部３の略軸心方向に向けて延設されている。この側視用撮像手段３１の信号線３１ａは第２のコネクタ８に接続されている。この側視用撮像手段３１の先端の撮像面は挿入部３の略軸心方向に向けた状態で配置されている。したがって、本実施の形態では側視用撮像手段３１は直視用撮像手段１９と平行に並設されている。
【００２１】
さらに、この側視用撮像手段３１の先端の撮像面と側視用対物レンズ２９との間にはプリズム３２が介設されている。そして、これらの側視用対物レンズ２９と、プリズム３２と、側視用撮像手段３１とによって第１の観察手段２０の視野方向（直視方向）とは異なる方向（側視方向）に向けた第２の観察手段３３が構成されている。
【００２２】
また、側視用照明レンズ３０の内面側には図３に示すように第２の観察手段３３の視野照明用の照明光を発生させる側視用チップ型ＬＥＤ（第２の半導体発光素子）３４が対向配置されている。この側視用チップ型ＬＥＤ３４は例えば白色ＬＥＤによって形成される。さらに、ＬＥＤ３４は外形状が照明光の出射方向の長さが出射方向と直交する方向に比べ短いチップ型ＬＥＤが使用されている。
【００２３】
また、ＬＥＤ３４には電源供給線３５の一端部が接続されている。この電源供給線３５の他端部は第１のコネクタ６の電源供給部６ａに接続されている。ここで、先端構成部本体１３の側視方向観察部１２ｂにはＬＥＤ３４の装着用の凹部３６が形成されている。さらに、この先端構成部本体１３の内部には電源供給線３５を挿通するための縦孔部３７が凹部３６に連通させた状態で形成されている。そして、ＬＥＤ３４の電源供給線３５は先端構成部本体１３の縦孔部３７内に挿通されている。
【００２４】
また、図２に示すように先端構成部１２における側視方向観察部１２ｂの切欠部に臨む端縁部の壁面１２ｃには側視用対物レンズ２９と対応する位置に開口部３８が形成されている。この開口部３８には図４に示すように側視用送気・送水管路３９の先端部に形成された側視用ノズル４０が連結されている。さらに、側視用送気・送水管路３９の基端部は第１のコネクタ６を介して内視鏡制御装置７の内部の流体制御装置に接続されている。そして、流体制御装置から側視用送気・送水管路３９を通して供給される洗浄流体が側視用ノズル４０から開口部３８を通して側視用対物レンズ２９に吹き付けられるようになっている。
【００２５】
また、本実施の形態では直視用チップ型ＬＥＤ２１は図４に示すように挿入部３の軸心方向に沿って第２の観察手段３３の側視用撮像手段３１よりも先端側で、かつ図２に示すように第２の観察手段３３の側視用撮像手段３１と前後に重なる位置に配置されている。これにより、挿入部３の軸心方向に沿って第２の観察手段３３の側視用撮像手段３１よりも先端側で、かつ図２に示すように第２の観察手段３３の側視用撮像手段３１と前後に重なる位置に直視用チップ型ＬＥＤ２１を配置した重なり部４１が設けられている。
【００２６】
さらに、本実施の形態では側視用チップ型ＬＥＤ３４は図３に示すように第１の観察手段２０の直視用撮像手段１９における挿入部３の径方向近傍部位に配置されている。
【００２７】
また、本実施の形態の内視鏡装置１では第１の観察手段２０の直視用撮像手段１９および第２の観察手段３３の側視用撮像手段３１からの各出力信号は第２のコネクタ８から接続ケーブル９を介してビデオプロセッサ１０に入力され、このビデオプロセッサ１０でビデオ信号に変換されたのち、モニター１１に供給されてこのモニター１１に第１の観察手段２０による直視方向の観察画像および第２の観察手段３３による側視方向の観察画像が表示されるようになっている。なお、ここでモニター１１には例えば画面を左右、或いは上下に２分割した状態で、直視方向の観察画像および側視方向の観察画像を同時に表示させてもよく、或いは直視方向の観察画像または側視方向の観察画像のいずれか一方をモニター１１の画面全面に適宜、選択的に切換え表示する構成にしてもよい。
【００２８】
次に、前記構成の作用について説明する。本実施の形態の内視鏡装置１の使用時には内視鏡制御装置７から電源供給線２２を介してＬＥＤ２１に駆動電力が供給されてＬＥＤ２１が点灯されるとともに、同様に電源供給線３５を介してＬＥＤ３４に駆動電力が供給されてＬＥＤ３４が点灯される。そのため、ＬＥＤ２１からの照明光が直視用照明レンズ１５を介して先端構成部１２の前方に照射され、ＬＥＤ３４からの照明光が側視用照明レンズ３０を介して先端構成部１２の側方に照射される。
【００２９】
また、ＬＥＤ２１およびＬＥＤ３４が点灯されている状態で挿入部３が患者の体腔内に挿入される。このとき、先端構成部１２の前方の直視方向の画像は直視用対物レンズ１６から直視用撮像手段１９に結像されたのち、この直視用撮像手段１９によって電気信号に変換され、直視用撮像手段１９の信号線１９ａを介して第２のコネクタ８側に出力される。さらに、先端構成部１２の側方の画像は側視用対物レンズ２９からプリズム３２を経て側視用撮像手段３１に結像されたのち、この側視用撮像手段３１によって電気信号に変換され、側視用撮像手段３１の信号線３１ａを介して第２のコネクタ８側に出力される。
【００３０】
その後、直視用撮像手段１９および側視用撮像手段３１からの各出力信号は第２のコネクタ８から接続ケーブル９を介してビデオプロセッサ１０に入力され、このビデオプロセッサ１０でビデオ信号に変換されたのち、モニター１１に供給されてこのモニター１１に第１の観察手段２０による直視方向の観察画像および第２の観察手段３３による側視方向の観察画像が表示される。
【００３１】
また、側視用対物レンズ２９の洗浄時には流体制御装置が駆動される。このとき、流体制御装置から洗浄流体が直視用送気・送水チューブ２７および直視用送気・送水管路２６を通して直視用ノズル１７側に供給され、直視用ノズル１７の噴射孔部１７ｂから直視用対物レンズ１６に吹き付けられる。
【００３２】
さらに、側視用対物レンズ２９の洗浄時にも同様に流体制御装置が駆動される。このとき、流体制御装置から洗浄流体が側視用送気・送水管路３９を通して側視用ノズル４０側に供給され、側視用ノズル４０から開口部３８を通して側視用対物レンズ２９に吹き付けられる。
【００３３】
そこで、本実施の形態では次の効果を奏する。すなわち、本実施の形態の電子内視鏡２では挿入部３の先端構成部１２に第１の観察手段２０の視野照明用の直視用ＬＥＤ２１と、第２の観察手段３３の視野照明用の側視用ＬＥＤ３４とを設けたので、先端構成部本体１３内および挿入部３内には従来のライトガイドよりも細い直視用ＬＥＤ２１用の電源供給線２２や、側視用ＬＥＤ３４用の電源供給線３５を配設することができる。そのため、従来構成のように直視方向照明部および側視方向照明部にそれぞれ光ファイバによって形成されたライトガイドを配設した場合に比べて挿入部３および先端構成部１２全体を細径化することができる。
【００３４】
さらに、本実施の形態では挿入部３の軸心方向に沿って第２の観察手段３３の側視用撮像手段３１よりも先端側で、かつ第２の観察手段３３の側視用撮像手段３１と前後に重なる位置に直視用ＬＥＤ２１を配置した重なり部４１を設けたので、挿入部３の軸心方向に沿って第２の観察手段３３の側視用撮像手段３１よりも先端側に形成されるデッドスペースを有効に活用し、挿入部３の先端部を一層効果的に細径化することができる。そのため、電子内視鏡２の挿入部３を患者の体腔内に挿入する作業の作業性を高め、患者の負担を軽減することができる。
【００３５】
また、図６および図７（Ａ），（Ｂ）は本発明の第２の実施の形態を示すものである。図６は側視型内視鏡５１における挿入部５２の先端構成部５３を示すものである。
【００３６】
ここで、先端構成部５３の外周面には視野方向を挿入部５２の側面方向に向けた側視方向観察用の側視方向観察部５３ｂが形成されている。この側視方向観察部５３ｂは図７に示すように先端構成部５３の外周面の円弧の一部を切欠させた平面状の切欠部によって形成されている。
【００３７】
また、先端構成部５３の側視方向観察部５３ｂには図６に示すように側視用対物レンズ５４および側視用照明レンズ５５がそれぞれ配設されている。ここで、側視用照明レンズ５５および側視用対物レンズ５４は挿入部５２の軸方向に並設されている。
【００３８】
また、先端構成部本体５６の内部には図６に示すように例えばＣＣＤ（固体撮像素子）等の側視用撮像手段５７が挿入部５２の略軸心方向に向けて延設されている。この側視用撮像手段５７の先端の撮像面は挿入部５２の略軸心方向に向けた状態で配置されている。なお、先端構成部本体５６の外周部位には絶縁カバー５６Ａが装着されている。
【００３９】
さらに、側視用撮像手段５７の先端の撮像面と側視用対物レンズ５４との間にはプリズム５８が介設されている。そして、これらの側視用対物レンズ５４と、プリズム５８と、側視用撮像手段５７とによって側視方向の観察手段５９が構成されている。
【００４０】
また、側視用照明レンズ５５の内面側には図６に示すように側視用ランプ型ＬＥＤ（半導体発光素子）６０が対向配置されている。この側視用ランプ型ＬＥＤ６０は例えば白色ＬＥＤによって形成される。さらに、ＬＥＤ６０は外形状が照明光の出射方向と直交する方向の長さが出射方向に比べて短いランプ型ＬＥＤを用いている。
【００４１】
また、先端構成部本体５６の側視方向観察部５３ｂにはＬＥＤ６０の装着用の凹部６１が形成されている。さらに、この先端構成部本体５６の内部にはＬＥＤ６０の電源供給線６２を挿通するための縦孔部６３が凹部６１に連通させた状態で形成されている。そして、ＬＥＤ６０の電源供給線６２は先端構成部本体５６の縦孔部６３内に挿通されている。
【００４２】
また、図６に示すように先端構成部５３における側視方向観察部５３ｂの切欠部に臨む端縁部の壁面５３ｃには側視用対物レンズ５４と対応する位置に開口部６４が形成されている。この開口部６４には側視用送気・送水管路６５の先端部に形成された側視用ノズル６６が連結されている。
【００４３】
また、図７（Ａ）に示すように側視用撮像手段５７の側方には鉗子チャンネル用開口部６７が形成されている。この鉗子チャンネル用開口部６７には図７（Ｂ）に示す鉗子チャンネル６８の先端部が連結されている。
【００４４】
さらに、鉗子チャンネル用開口部６７には鉗子起上台６９が配設されている。この鉗子起上台６９は図９に示す回転軸７０を中心に回転自在に軸支されている。また、鉗子起上台６９には鉗子起上台ワイヤ７１の先端部がワイヤ軸７２を介して連結されている。
【００４５】
そして、本実施の形態では鉗子等の処置具は鉗子チャンネル６８内を通して鉗子チャンネル用開口部６７側に誘導され、この鉗子チャンネル用開口部６７から先端構成部５３の側方に突出されるようになっている。このとき、鉗子起上台ワイヤ７１を押し引き操作することにより、鉗子起上台６９を回転軸７０を中心に回転させて起上、倒置させ、先端構成部５３の側方に突出された鉗子等の処置具の突出方向を調整できるようになっている。
【００４６】
そこで、本実施の形態では次の効果を奏する。すなわち、側視型内視鏡５１における挿入部５２の先端構成部５３に側視用ランプ型ＬＥＤ６０を設けたので、先端構成部本体５６内および挿入部５２内には従来のライトガイドよりも細いＬＥＤ６０用の電源供給線６２を配設することができる。そのため、従来構成のように側視方向照明部に光ファイバによって形成されたライトガイドを配設した場合に比べて挿入部５２および先端構成部５３全体を細径化することができる。
【００４７】
さらに、従来構成のようにライトガイドを側方に向けるために、側視方向照明部にライトガイドの先端を屈曲成形する必要もないので、コスト低下が図れる。
【００４８】
また、本実施の形態では側視用撮像手段５７の軸方向にＬＥＤ６０を配置したので、側視用撮像手段５７よりも先端側に形成されるデッドスペースを有効に活用し、挿入部５２の先端部を一層効果的に細径化することができる。そのため、側視型内視鏡５１の挿入部５２を患者の体腔内に挿入する作業の作業性を高め、患者の負担を軽減することができる。
【００４９】
また、図８乃至図１０は本発明の第３の実施の形態を示すものである。本実施の形態は第２の実施の形態（図６および図７（Ａ），（Ｂ）参照）の側視型内視鏡５１の構成を次の通り変更したものである。
【００５０】
すなわち、本実施の形態では図８に示すように挿入部５２の軸方向と直交する方向に鉗子チャンネル用開口部６７および側視用対物レンズ５４を並べて配置するとともに、挿入部５２の軸方向に沿って鉗子チャンネル用開口部６７の後方位置に側視用照明レンズ５５を配置し、この側視用照明レンズ５５の内面側に図９に示すようにチップ型ＬＥＤ８１を配設したものである。
【００５１】
また、先端構成部本体５６の側視方向観察部５３ｂにはＬＥＤ８１の装着用の凹部８２が形成されている。さらに、この先端構成部本体５６の内部にはＬＥＤ８１の電源供給線８３を挿通するための縦孔部８４が凹部８２に連通させた状態で形成されている。そして、ＬＥＤ８１の電源供給線８３は先端構成部本体５６の縦孔部８４内に挿通されている。
【００５２】
そこで、本実施の形態では次の効果を奏する。すなわち、挿入部５２の軸方向と直交する方向に鉗子チャンネル用開口部６７および側視用対物レンズ５４を並べて配置し、挿入部５２の軸方向に沿って鉗子チャンネル用開口部６７の後方位置に側視用照明レンズ５５を配置したので、挿入部５２の軸方向に沿う先端構成部５３の長さ、すなわち先端硬質長を短くすることができる。
【００５３】
また、図１１（Ａ），（Ｂ）は本発明の第４の実施の形態を示すものである。本実施の形態は直視方向に視野を有する直視型内視鏡の先端構成部１２に組付ける直視用チップ型ＬＥＤ２１の組付け構造を次の通り変更したものである。
【００５４】
すなわち、本実施の形態では先端構成部１２の先端構成部本体１３とＬＥＤ素子９１とを一体にインサート成形した樹脂製のインサート成形物９２を設けたものである。
【００５５】
また、図１１（Ｂ）はインサート成形物９２の成形型９３を示すものである。この成形型９３には固定型９４と、この固定型９４に対して接離可能に移動される可動型９５とが設けられている。そして、固定型９４と可動型９５との接合部にインサート成形物９２の成形用のキャビティ９６が形成されている。
【００５６】
さらに、固定型９４にはインサート成形時に溶融樹脂をキャビティ９６内に導入するためのゲート９７が形成されている。また、固定型９４にはキャビティ９６内のＬＥＤ素子９１を押さえるとともに、直視用照明レンズ１５の装着用穴を形成するための突設部９８が突設されている。
【００５７】
さらに、可動型９５にはＬＥＤ素子９１を係止する第１の突設部９９と、直視方向観察用の第１の観察手段２０を組付ける組付け穴を形成するための第２の突設部１００とが突設されている。
【００５８】
また、ＬＥＤ素子９１の外表面の少なくとも一部には先端構成部本体１３との分離を防止する抜け止め部１０１が形成されている。さらに、ＬＥＤ素子９１の外表面の少なくとも一部は先端構成部本体１３を形成する樹脂と溶融性のある樹脂にて形成されている。そして、インサート成形物９２の成形後、ＬＥＤ素子９１の外表面の少なくとも一部と先端構成部本体１３との境界面には融着層１０２が形成されている。なお、ＬＥＤ素子９１の外表面の少なくとも一部と先端構成部本体１３との境界面に接着層（プライマー）を設ける構成にしてもよい。
【００５９】
また、可動型９５にはインサート成形物９２の成形後にキャビティ９６内からインサート成形物９２を剥離するためのエジェクタピン１０３が図１１（Ｂ）中で左右方向に移動可能に装着されている。なお、１０４はＬＥＤ素子９１の本体内の凹部、１０５はＬＥＤ素子９１の電極である。
【００６０】
そして、インサート成形物９２のインサート成形時には予め図１１（Ｂ）に示すように可動型９５の第１の突設部９９にＬＥＤ素子９１の本体内の凹部１０４が係合された状態にセットされる。この状態で、固定型９４と可動型９５とが接合される。
【００６１】
続いて、固定型９４のゲート９７から固定型９４と可動型９５との間のキャビティ９６内に溶融樹脂が導入され、先端構成部１２の先端構成部本体１３と直視用チップ型ＬＥＤ２１のＬＥＤ素子９１とを一体にインサート成形した樹脂製のインサート成形物９２が成形される。
【００６２】
そこで、本実施の形態では先端構成部１２の先端構成部本体１３とＬＥＤ素子９１とを一体にインサート成形した樹脂製のインサート成形物９２を設けたので、従来のように先端構成部１２の先端構成部本体１３とＬＥＤ素子９１とをそれぞれ独立に設け、先端構成部本体１３にＬＥＤ素子９１を組み付ける作業を行う場合に比べて先端構成部本体１３とＬＥＤ素子９１との組み立て費用が削減されるとともに、組立の精度が良くなる。そのため、先端構成部１２の組み立て費が安価であるうえ、直視用照明レンズ１５とＬＥＤ素子９１との組立の精度を高め、光軸のズレ等がない為、照明性能が良い。
【００６３】
また、図１２（Ａ），（Ｂ）は第４の実施の形態（図１１（Ａ），（Ｂ）参照）の変形例を示すものである。本変形例は第４の実施の形態のＬＥＤ素子９１に代えて直視用ランプ型ＬＥＤのＬＥＤ素子１１１を使用し、先端構成部１２の先端構成部本体１３とランプ型ＬＥＤのＬＥＤ素子１１１とを一体にインサート成形した樹脂製のインサート成形物１１２を設けたものである。
【００６４】
また、ランプ型ＬＥＤのＬＥＤ素子１１１には第４の実施の形態のＬＥＤ素子９１における抜け止め部１０１に相当する部分に溶融樹脂が流入される流入孔１１３が形成されている。なお、これ以外の部分については第４の実施の形態と同様である。
【００６５】
そこで、上記構成のものにあっても第４の実施の形態と同様の効果が得られることは勿論である。さらに、本実施の形態のＬＥＤ素子１１１には第４の実施の形態のＬＥＤ素子９１における抜け止め部１０１に相当する部分に溶融樹脂が流入される流入孔１１３を形成したので、先端構成部１２の先端構成部本体１３とランプ型ＬＥＤのＬＥＤ素子１１１とを一体にインサート成形した樹脂製のインサート成形物１１２の結合強度を一層高めることができる。
【００６６】
また、図１３は本発明の第５の実施の形態を示すものである。本実施の形態はランプ型ＬＥＤのＬＥＤ素子１２１と、このＬＥＤ素子１２１の前方に配置される照明レンズ１２２とを一体にインサート成形した樹脂製のレンズ一体型のインサート成形物１２３を設けたものである。
【００６７】
また、ＬＥＤ素子１２１の外表面の少なくとも一部には照明レンズ１２２との分離を防止する抜け止め部１２４が形成されている。さらに、ＬＥＤ素子１２１の外表面の少なくとも一部は照明レンズ１２２を形成する樹脂、例えばポリカーボネート、アクリル、ポリスチレンなどと溶融性のある樹脂にて形成されている。そして、インサート成形物１２３の成形後、ＬＥＤ素子１２１の外表面の少なくとも一部と照明レンズ１２２との境界面には融着層１２５が形成されている。
【００６８】
なお、１２６はインサート成形物１２３のインサート成形時に予め図１１（Ｂ）に示すように可動型９５の第１の突設部９９に係合されるＬＥＤ素子１２１の本体内の凹部である。
【００６９】
そこで、上記構成のものにあってはＬＥＤ素子１２１をインサート物として樹脂にて照明レンズ１２２をインサート成形し、これらを一体に形成したので、従来のように照明レンズ１２２とＬＥＤ素子１２１との間を手作業で組み立てる場合に必要な組立て費を省略することができ、安価となる。さらに、インサート成形により、組み立て精度が良い為、光軸ズレがなく、照明性能が良い効果もある。
【００７０】
また、図１４は第５の実施の形態（図１３参照）の変形例を示すものである。本変形例は第５の実施の形態のランプ型ＬＥＤのＬＥＤ素子１２１に代えてチップ型ＬＥＤのＬＥＤ素子１３１を使用し、このＬＥＤ素子１３１の前方に配置される照明レンズ１３２とを一体にインサート成形した樹脂製のレンズ一体型のインサート成形物１３３を設けたものである。
【００７１】
また、ＬＥＤ素子１３１の外表面の少なくとも一部には照明レンズ１３２との分離を防止する抜け止め部１３４が形成されている。さらに、１３５はインサート成形物１３３のインサート成形時に予め図１１（Ｂ）に示すように可動型９５の第１の突設部９９に係合されるＬＥＤ素子１３１の本体内の凹部である。
【００７２】
そして、本変形例でも第５の実施の形態と同様にＬＥＤ素子１３１をインサート物として樹脂にて照明レンズ１３２をインサート成形し、これらを一体に形成したので、従来のように照明レンズ１３２とＬＥＤ素子１３１との間を手作業で組み立てる場合に必要な組立て費を省略することができ、安価となる。さらに、インサート成形により、組み立て精度が良い為、光軸ズレがなく、照明性能が良い効果もある。
【００７３】
また、図１５は本発明の第６の実施の形態を示すものである。本実施の形態は内視鏡のチャンネル内に挿通可能な内視鏡用補助照明具１４１を設けたものである。この補助照明具１４１には細長い挿入部１４２が設けられている。この挿入部１４２には細長い可撓性の軸体１４３の先端部に硬質な先端ユニット１４４が配設されている。
【００７４】
また、先端ユニット１４４には略円筒状のユニットケース１４５内にランプ型ＬＥＤ１４６が配設されている。さらに、ランプ型ＬＥＤ１４６の前方には照明用レンズ１４７が配設されている。この照明用レンズ１４７はユニットケース１４５の前面開口部１４５ａを閉塞し、かつユニットケース１４５の内部を気密、水密にシールする状態で固定されている。
【００７５】
また、挿入部１４２の軸体１４３にはランプ型ＬＥＤ１４６の電源供給線１４８が配設されている。この電源供給線１４８の外周面は外皮チューブ１４９によって被覆されている。
【００７６】
さらに、挿入部１４２の基端部には手元側の操作部１５０が配設されている。この操作部１５０にはランプ型ＬＥＤ１４６のオン、オフ用のスイッチ１５１と、スイッチ１５１の操作用のキートップ１５２とが設けられている。また、操作部１５０の基端部にはリード線１５３を介してコネクタ１５４が接続されている。
【００７７】
そして、上記構成の内視鏡用補助照明具１４１は内視鏡によるズーム拡大観察時や、内視鏡内に配設されたライトガイドの折損等により、内視鏡の視野が暗いスコープの使用時に、必要に応じて内視鏡のチャンネル内に挿通して用いる。
【００７８】
そこで、上記構成の内視鏡用補助照明具１４１にあってはランプ型ＬＥＤ１４６の使用により、安価、かつ細径に形成できる。又、必要に応じて所望の観察が行え、耐久性が良い。
【００７９】
さらに、スコープの使用時に、必要に応じて内視鏡のチャンネル内に挿通して用いることができるので、内視鏡によるズーム拡大観察時に暗くなる観察光量を確保するために格別にライトガイドの光ファイバの数を増す必要がない。そのため、内視鏡の挿入部が太径化し、通常検査に支障がきたすおそれがない。
【００８０】
また、内視鏡内に配設されたライトガイドの折損等により、内視鏡の視野が暗いスコープであってもライトガイドの折損を修理することなく使用できるので、高価な修理費の節減を図ることができる。
【００８１】
また、図１６は小腸用ゾンデスコープ（ビデオスコープ）１６１の全体構成を示すものである。本スコープ１６１には細長い挿入部１６２が設けられている。この挿入部１６２には細長い可撓性のケーブル１６３の先端部に硬質な先端ユニット１６４が配設されている。
【００８２】
また、先端ユニット１６４にはユニットケース１６５内にＬＥＤ１６６と撮像手段１６７とが配設されている。さらに、ＬＥＤ１６６の前方には照明用レンズ１６８が配設されている。
【００８３】
また、挿入部１６２のケーブル１６３にはＬＥＤ１６６の電源供給線や、撮像手段１６７の信号線などが配設されている。さらに、挿入部１６２の基端部には手元側の操作部１６９が配設されている。この操作部１６９にはリード線１７０を介してコネクタ１７１が接続されている。このコネクタ１７１はビデオプロセッサ１７２に接続されている。さらに、このビデオプロセッサ１７２はモニター１７３に接続されている。
【００８４】
そこで、上記構成の小腸用ゾンデスコープ１６１ではＬＥＤ１６６と撮像手段１６７とを収納させた小径の先端ユニット１６４と、ＬＥＤ１６６の電源供給線や、撮像手段１６７の信号線などを配設させた細いケーブル１６３とを設けたので、従来の小腸用スコープのようにライトガイドを使用する場合に比べて挿入部１６２の径を細くすることができる。そのため、スコープ１６１の挿入部１６２をぜん動運動によって患者の鼻から体内に挿入する際に患者の体腔内に長時間留置されるのは、細いケーブル１６３のみなので患者の苦痛を軽減できる効果がある。
【００８５】
また、図１７（Ａ）は内視鏡の先端部１８１の照明部１８２を示すものである。この先端部１８１には略半球状の凹陥部１８３が形成されている。この凹陥部１８３には鏡面仕上げのリフレクタの形状の凹面鏡１８４が形成されている。
【００８６】
さらに、凹面鏡１８４の内底部にはチップ型ＬＥＤ１８５が配設されている。この凹面鏡１８４の前面開口部にはカバーガラス１８６が装着されている。なお、１８７はチップ型ＬＥＤ１８５の電源ケーブルである。また、チップ型ＬＥＤ１８５の代わりにランプ型ＬＥＤを用いてもよい。
【００８７】
そこで、上記構成のものにあっては先端部１８１の照明部１８２にリフレクタの形状の凹面鏡１８４を設けたので、チップ型ＬＥＤ１８５の視野角を図１７（Ａ）中に矢印で示すように大きく適正に調整することができる。そのため、配光の良い先端部１８１の照明部１８２のＬＥＤ照射方式を得ることができる。
【００８８】
また、図１７（Ｂ）は内視鏡の先端部１８１の照明部１８２の第２の構成例を示すものである。この先端部１８１にはＬＥＤ取付け用の凹陥部１８３の内底部にランプ型ＬＥＤ１９１が配設されている。
【００８９】
さらに、凹陥部１８３の前面開口部にはテーパ型のファイバであるコニカルファイバー１９２が装着されている。そして、ランプ型ＬＥＤ１９１から出射される照明光は図１７（Ｂ）中に矢印で示すようにコニカルファイバー１９２を通り、拡散された状態で外部に照射されるようになっている。なお、１９３はランプ型ＬＥＤ１９１の電源ケーブルである。
【００９０】
そこで、上記構成のものにあってはランプ型ＬＥＤ１９１の前面にコニカルファイバー１９２を配設したので、出射角が狭いランプ型ＬＥＤ１９１の照明光をコニカルファイバー１９２によって拡散させ、ＬＥＤ１９１の視野角を大きく適正に調整することができる。そのため、配光の良い先端部１８１の照明部１８２のＬＥＤ照射方式を得ることができる。
【００９１】
また、図１７（Ｃ）は内視鏡の先端部１８１の照明部１８２の第３の構成例を示すものである。ここでは図１７（Ｂ）のランプ型ＬＥＤ１９１の前面に照明用凹レンズ１９５が配設されている。なお、凹レンズ１９５の代わりに凸レンズを用いてもよい。
【００９２】
そこで、上記構成のものにあってはランプ型ＬＥＤ１９１の前面に照明用凹レンズ１９５を配設したので、出射角が狭いランプ型ＬＥＤ１９１の照明光を照明用凹レンズ１９５によって拡散させ、ＬＥＤ１９１の視野角を大きく適正に調整することができる。そのため、配光の良い先端部１８１の照明部１８２のＬＥＤ照射方式を得ることができる。
【００９３】
さらに、本発明は前記実施の形態に限定されるものではなく、本発明の要旨を逸脱しない範囲で種々変形実施できることは勿論である。  
次に、本出願の他の特徴的な技術事項を下記の通り付記する。  
記  
（付記項１）  内視鏡の挿入部の先端部に設けられた直視用観察光学系と、側視用観察光学系を有する内視鏡において、側視用観察光学系の先端側に直視用ＬＥＤを配置したことを特徴とする内視鏡装置。
【００９４】
（付記項２）  側視用観察光学系の先端側に直視用ＬＥＤを配置し、直視用観察光学系の側視方向に側視用ＬＥＤを配置したことを特徴とする内視鏡装置。
【００９５】
（付記項３）  直視用観察光学系の径方向に側視用チップ型ＬＥＤ（照明光出射方向が薄い）を配置したことを特徴とする付記項２に記載の内視鏡装置。
【００９６】
（付記項４）  内視鏡の挿入部の先端部に設けられた挿入部の長手方向を視野方向とする第一の撮像手段と、挿入部の長手方向に直交する方向を視野方向とする第二の撮像手段とを有する内視鏡装置において、長手方向を挿入部の長手方向と同一として並列に配置された第一の撮像手段と第二の撮像手段と、第二の撮像手段の挿入部の長手方向近傍に配置された第一の撮像手段の視野を照明するＬＥＤ（半導体発光素子）からなる第一の照明手段と、第一の撮像手段の挿入部の径方向近傍に配置された第二の撮像手段の視野を照明するＬＥＤからなる第二の照明手段とを有することを特徴とする内視鏡装置。
【００９７】
（付記項５）  前記ＬＥＤは外形状が照明光の出射方向の長さが出射方向と直交する方向に比べ短いチップ型ＬＥＤを用いたことを特徴とする付記項４に記載の内視鏡装置。
【００９８】
（付記項１〜５の従来技術）  特開平４−１２７２６号公報。
【００９９】
（付記項１〜５が解決しようとする課題）  先端部の径が太かった。
【０１００】
（付記項１〜５の目的）  先端部の径が細い、直視、側視の二方向の視野方向を有する内視鏡の提供。
【０１０１】
（付記項１〜５の作用）  先端部が細くできる。
【０１０２】
（付記項１〜５の効果）  先端部の径が細い直視、側視の二方向の視野方向を有する内視鏡が提供できる。
【０１０３】
（付記項６）  内視鏡の挿入部の先端部に設けられた挿入部の長手方向に直交する方向を視野方向とする撮像手段を有する内視鏡装置において、ＬＥＤからなる照明手段を設け、ＬＥＤを撮像手段の長手方向に配置したことを特徴とする内視鏡装置。
【０１０４】
（付記項７）  前記撮像手段の先端側に前記ＬＥＤを設けたことを特徴とする付記項６の内視鏡装置。
【０１０５】
（付記項８）  前記ＬＥＤを撮像手段の長手方向と直交する方向に配置したことを特徴とする付記項６の内視鏡装置。
【０１０６】
（付記項９）  前記照明手段を処置具挿通チャンネルの挿入部の径方向近傍に配置したことを特徴とする付記項６の内視鏡装置。
【０１０７】
（付記項１０）  前記ＬＥＤは外形状が照明光の出射方向と直交する方向の長さが出射方向に比べ短いランプ型ＬＥＤを用いたことを特徴とする付記項６、７の内視鏡装置。
【０１０８】
（付記項１１）  前記ＬＥＤは外形状が照明光の出射方向の長さが出射方向と直交する方向に比べ短いチップ型ＬＥＤを用いたことを特徴とする付記項８、９の内視鏡装置。
【０１０９】
（付記項６〜１１の従来技術）  特開平８−２４３０７６号公報。
【０１１０】
（付記項６〜１１が解決しようとする課題）  屈曲成形したライトガイドの為、先端部の径が太い。先端硬質部が長い。ライトガイドが高価である。
【０１１１】
（付記項６〜１１の目的）  先端部の径が細く、先端硬質部が短く、安価な側視の視野方向を有する内視鏡の提供。
【０１１２】
（付記項６〜１１の作用）  屈曲成形したライトガイドを用いない為、先端部が細くできる。照明手段が安価にできる。
【０１１３】
（付記項６〜１１の効果）  先端部の径が細く、先端硬質部が短く、安価な側視の視野方向を有する内視鏡が提供できる。
【０１１４】
（付記項１２）  内視鏡の挿入部の先端部に設けられたＬＥＤ素子からなる照明手段と、照明手段を保持する先端構成部材とを具備する内視鏡装置において、ＬＥＤからなる照明手段をインサート物とするインサート成形法により、先端構成部材を合成樹脂により成形し、これらを一体的に形成したことを特徴とする内視鏡装置。
【０１１５】
（付記項１３）  前記ＬＥＤ素子の外表面の少なくとも一部に前記先端構成部材との分離を防止する抜け止め部を形成したことを特徴とする付記項１２の内視鏡装置。
【０１１６】
（付記項１４）  前記ＬＥＤ素子の外表面の少なくとも一部と前記先端構成部材の境界面に融着層を設けたことを特徴とする付記項１２、１３の内視鏡装置。
【０１１７】
（付記項１５）  前記ＬＥＤ素子の外表面の少なくとも一部を前記先端構成部材を形成する樹脂と溶融性のある樹脂にて形成したことを特徴とする付記項１４の内視鏡装置。
【０１１８】
（付記項１６）  前記ＬＥＤ素子の外表面の少なくとも一部と前記先端構成部材の境界面に接着層を設けたことを特徴とする付記項１２の内視鏡装置。
【０１１９】
（付記項１７）  前記ＬＥＤ素子の出射端側に少なくとも一つの照明レンズを具備することを特徴とする付記項１２の内視鏡装置。
【０１２０】
（付記項１２〜１７の従来技術）  特願平９−２３７６８号。
【０１２１】
（付記項１２〜１７が解決しようとする課題）  組み立て費が高価である。組立の精度が悪く照明性能が悪い。
【０１２２】
（付記項１２〜１７の目的）  安価で照明性能が良い内視鏡の提供。
【０１２３】
（付記項１２〜１７の作用）  組み立て費用が削減される。組立の精度が良くなる。
【０１２４】
（付記項１２〜１７の効果）  安価で照明性能が良い内視鏡が提供できる。
【０１２５】
（付記項１８）  内視鏡の挿入部の先端部に設けられたＬＥＤ素子と少なくとも一つの照明レンズとを具備する内視鏡装置において、ＬＥＤ素子をインサート物とするインサート成形法により、照明レンズを合成樹脂により成形し、これらを一体的に形成したことを特徴とする内視鏡装置。
【０１２６】
（付記項１９）  前記ＬＥＤ素子の外表面の少なくとも一部に前記先端構成部材との分離を防止する抜け止め部を形成したことを特徴とする付記項１８の内視鏡装置。
【０１２７】
（付記項２０）  前記ＬＥＤ素子の外表面の少なくとも一部と前記先端構成部材の境界面に融着層を設けたことを特徴とする付記項１８、１９の内視鏡装置。
【０１２８】
（付記項２１）  前記ＬＥＤ素子の外表面の少なくとも一部を前記先端構成部材を形成する樹脂と溶融性のある樹脂にて形成したことを特徴とする付記項２０の内視鏡装置。
【０１２９】
（付記項２２）  前記ＬＥＤ素子の外表面の少なくとも一部と前記先端構成部材の境界面に接着層を設けたことを特徴とする付記項１８の内視鏡装置。
【０１３０】
（付記項１８〜２２の従来技術）  特願平９−２３７６８号。
【０１３１】
（付記項１８〜２２が解決しようとする課題）  組み立て費が高価である。組立の精度が悪く照明性能が悪い。
【０１３２】
（付記項１８〜２２の目的）  安価で照明性能が良い内視鏡の提供。
【０１３３】
（付記項１８〜２２の作用）  組み立て費用が削減される。組立の精度が良くなる。
【０１３４】
（付記項１８〜２２の効果）  安価で照明性能が良い内視鏡が提供できる。
【０１３５】
（付記項２３）  細長の可撓性を有する挿入部と、挿入部の先端に設けられた先端部と先端部に照明手段を有する内視鏡用補助照明装置において、先端部にＬＥＤと、挿入部の内部に配設されたＬＥＤ素子に電力を供給するケーブルとを具備することを特徴とする内視鏡用補助照明装置。
【０１３６】
（付記項２４）  水密、気密構造としたことを特徴とする付記項２３の内視鏡装置。
【０１３７】
（付記項２３、２４の従来技術）  特願平９−２３７６８号
（付記項２３、２４が解決しようとする課題）  拡大観察機能を有する内視鏡ではズーム時暗かった。又ライトガイドが劣化すると暗かった。
【０１３８】
（付記項２３、２４の目的）  安価な内視鏡用補助照明装置の提供。
【０１３９】
（付記項２３、２４の作用）  観察中にズーム観察等で光量不足となった場合には内視鏡のチャンネルに挿通させて先端のＬＥＤ素子より照明を行う。
【０１４０】
（付記項２３、２４の効果）  安価な内視鏡用補助照明装置が提供できる。
【図面の簡単な説明】
【０１４１】
【図１】本発明の第１の実施の形態の内視鏡装置全体の概略構成図。
【図２】第１の実施の形態の内視鏡装置の先端部を先端側から見た状態を示す平面図。
【図３】図２のＡ−Ａ線断面図。
【図４】図２のＢ−Ｂ線断面図。
【図５】図４のＣ−Ｃ線断面図。
【図６】本発明の第２の実施の形態の側視型の内視鏡装置における挿入部の先端部を示す要部の縦断面図。
【図７】（Ａ）は図６のＤ−Ｄ線断面図、（Ｂ）は図６のＥ−Ｅ線断面図。
【図８】本発明の第３の実施の形態の側視型の内視鏡装置における挿入部の先端部を側方から見た状態を示す要部の平面図。
【図９】図８のＦ−Ｆ線断面図。
【図１０】図８のＧ−Ｇ線断面図。
【図１１】本発明の第４の実施の形態を示すもので、（Ａ）は直視型内視鏡装置における挿入部の先端部の縦断面図、（Ｂ）は先端構成部の成形型を示す縦断面図。
【図１２】第４の実施の形態の変形例を示すもので、（Ａ）は直視型内視鏡装置における挿入部の先端部の縦断面図、（Ｂ）は先端構成部の成形型を示す縦断面図。
【図１３】本発明の第５の実施の形態を示すレンズ一体型ＬＥＤの縦断面図。
【図１４】第５の実施の形態の変形例を示すレンズ一体型ＬＥＤの縦断面図。
【図１５】本発明の第６の実施の形態を示すチャンネル挿通用補助照明具の全体構成を示す縦断面図。
【図１６】小腸用ビデオスコープの全体構成を示す概略構成図。
【図１７】（Ａ）は内視鏡の先端部の照明部を示す要部の縦断面図、（Ｂ）は内視鏡の先端部の照明部の第２の構成例を示す要部の縦断面図、（Ｃ）は内視鏡の先端部の照明部の第３の構成例を示す要部の縦断面図。
【符号の説明】
【０１４２】
５１…内視鏡、５２…挿入部、５３…先端構成部、５９…観察手段、６０…側視用ランプ型ＬＥＤ（半導体発光素子）。
【図１】
2004305770.tif 000003
【図２】
2004305770.tif 000004
【図３】
2004305770.tif 000005
【図４】
2004305770.tif 000006
【図５】
2004305770.tif 000007
【図６】
2004305770.tif 000008
【図７】
2004305770.tif 000009
【図８】
2004305770.tif 000010
【図９】
2004305770.tif 000011
【図１０】
2004305770.tif 000012
【図１１】
2004305770.tif 000013
【図１２】
2004305770.tif 000014
【図１３】
2004305770.tif 000015
【図１４】
2004305770.tif 000016
【図１５】
2004305770.tif 000017
【図１６】
2004305770.tif 000018
【図１７】
2004305770.tif 000019